(57)【特許請求の範囲】
【請求項１】
３０℃における蒸気圧が２×１０−４〜１×１０−２ｍｍＨｇであるピレスロイド系殺虫成分である揮散性薬剤が担持された薬剤担持体であり、前記薬剤担持体は線径が３０〜３００μｍで、かつ、メッシュ数が５０〜３００メッシュであり、テクスチャード加工されていないポリエステル系繊維の格子状もしくは網状繊維構造体であって、前記薬剤担持体を回転せしめ前記揮散性薬剤を揮散させる薬剤揮散装置において、前記薬剤担持体の揮散面積を２４〜１２８ｃｍ２に設定するとともに、前記薬剤担持体に前記揮散性薬剤を１０〜５０ｍｇ担持させ、前記薬剤担持体を１６００〜３０００ｒｐｍで回転させることにより、使用開始から１２時間以内に担持量の５０％以上であって、１時間当たりの平均揮散量が１．２ｍｇ以上を揮散させてその周囲に前記揮散性薬剤のバリア空間を形成し、飛翔害虫のこの空間への侵入を阻止するようになしたことを特徴とする薬剤揮散装置。
【請求項２】
前記薬剤担持体を枠体に収納し、これを薬剤カートリッジに設置して回転せしめるように構成したことを特徴とする請求項１に記載の薬剤揮散装置。
【発明の詳細な説明】
【技術分野】
【０００１】
本発明は、揮散性薬剤が担持された薬剤担持体を回転せしめ揮散性薬剤を揮散させる薬剤揮散装置の改良に関するものである。
【背景技術】
【０００２】
害虫、例えば蚊やブユなどを駆除するために、薬剤を閉鎖空間（室内や自動車の車内、アウトドアスポーツにおけるテント内など）全体に揮散、放出させる薬剤揮散方法として、熱エネルギーを利用した蚊取線香や電気蚊取マット、液体式電気蚊取(リキッド)が一般的であるが、常温でファン等の風力を利用して薬剤を揮散、放出させる方法も実用化されている。後者の方法は必ずしも交流電源を必要とせず、持ち運びが可能であることから携帯用として有用であり、本発明者らも特開２００１−２４７４０６号公報（特許文献１）において、ビーズ状の薬剤含浸体を収納するカートリッジをモーターで回転させ、遠心力によって薬剤を効率的に揮散、放出させる薬剤揮散方法を開示した。
【０００３】
また、特開２００６−２５６５５号公報（特許文献２）では、前記ビーズ状の薬剤含浸体の替わりに、三次元方向にメッシュ状を形成している通気層の下側面又は上下両側面に、毛管現象によって薬剤液を保持できる程度の隙間を有する薬剤保持層を設けてなるシート状の薬剤担持体を用いた薬剤揮散装置を提案した。そして、特許文献１及び特許文献２のいずれのタイプにおいても、薬剤の実用的な揮散性能や殺虫効果に優れたものであった。
【０００４】
ところで、かかる薬剤揮散装置は、３０日以上の長期間用途に対応して当然のことながら高薬量を担持させることが必要となり、これに用いる薬剤担持体としては、薬剤の揮散性を維持する一方、相応の薬剤保持性をも具備する素材が要求された。例えば、特開２００１−２００２３９号公報（特許文献３）は、担体が撚り糸からなり、目の大きさが６〜１００メッシュの範囲であるネットを枠に張ったものからなり、該ネットを２枚以上重ねて併置してなる薬剤保持体を提案し、これを用いることにより、実用的な日数の間、有効な量の薬剤揮散量を確保することができるとしている。
【０００５】
しかしながら、特開２００１−２００２３９号公報（特許文献３）をはじめ、これまでの薬剤揮散装置の薬剤担持体においては、薬剤の保持性を重視する結果、薬剤の単位時間あたりの揮散量を少なからず抑えざるを得ず、使用初期における格段の効力アップを望むのは技術的に制限されると考えられていた。このように、ファン等の風力を利用する薬剤揮散装置において、短時間に高薬量の薬剤を揮散させるという技術的発想に基づく製品は未だない。
【先行技術文献】
【特許文献】
【０００６】
【特許文献１】特開２００１−２４７４０６号公報
【特許文献２】特開２００６−２５６５５号公報
【特許文献３】特開２００１−２００２３９号公報
【発明の概要】
【発明が解決しようとする課題】
【０００７】
本発明は、１２時間以内の短時間使用を目指した薬剤揮散装置であり、短時間に高薬量の揮散性薬剤を揮散させてその周囲に揮散性薬剤のバリア空間を形成し、飛翔害虫のこの空間への侵入を阻止しうる薬剤揮散装置を提供することを目的とする。
【課題を解決するための手段】
【０００８】
本発明は、以下の構成が上記目的を達成するために優れた効果を奏することを見出したものである。
（１）３０℃における蒸気圧が２×１０−４〜１×１０−２ｍｍＨｇであるピレスロイド系殺虫成分である揮散性薬剤が担持された薬剤担持体であり、前記薬剤担持体は線径が３０〜３００μｍで、かつ、メッシュ数が５０〜３００メッシュであり、テクスチャード加工されていないポリエステル系繊維の格子状もしくは網状繊維構造体であって、前記薬剤担持体を回転せしめ前記揮散性薬剤を揮散させる薬剤揮散装置において、前記薬剤担持体の揮散面積を２４〜１２８ｃｍ２に設定するとともに、前記薬剤担持体に前記揮散性薬剤を１０〜５０ｍｇ担持させ、前記薬剤担持体を１６００〜３０００ｒｐｍで回転させることにより、使用開始から１２時間以内に担持量の５０％以上であって、１時間当たりの平均揮散量が１．２ｍｇ以上を揮散させてその周囲に前記揮散性薬剤のバリア空間を形成し、飛翔害虫のこの空間への侵入を阻止するようになした薬剤揮散装置。
（２）前記薬剤担持体を枠体に収納し、これを薬剤カートリッジに設置して回転せしめるように構成した（１）に記載の薬剤揮散装置。
【発明の効果】
【０００９】
本発明の薬剤揮散装置は、１２時間以内の短時間使用を目指した薬剤揮散装置であり、短時間に高薬量の揮散性薬剤を揮散させてその周囲に揮散性薬剤のバリア空間を形成し、飛翔害虫のこの空間への侵入を阻止しうるので、その実用性は極めて高い。
【発明を実施するための形態】
【００１０】
本発明で用いられる揮散性薬剤としては、揮散性に優れた殺虫成分、忌避成分、抗菌成分、防虫香料等があげられる。殺虫成分としては、エムペントリンや一般式（Ｉ）
【化１】
0005754895.tif 000002
（式中、Ｘは水素原子又はメチル基を表す。Ｘが水素原子の時、Ｙはビニル基、１−プロペニル基、２−メチル−１−プロペニル基、２，２−ジクロロビニル基、２，２−ジフルオロビニル基又は２−クロロ−２−トリフルオロメチルビニル基を表し、Ｘがメチル基の時、Ｙはメチル基を表す。また、Ｚは水素原子、フッ素原子、メチル基、メトキシメチル基又はプロパルギル基を表す）で表されるフッ素置換ベンジルアルコールエステル化合物から選ばれた常温揮散性のピレスロイド系殺虫成分が好適である。これらの化合物は、その３０℃における蒸気圧が２×１０−４〜１×１０−２ｍｍＨｇであって、従来のアレスリン及びプラレトリンに比べて蒸気圧が高く、蚊、ハエ、ブユ、ユスリカなどの害虫に対する殺虫効力も優れている。なお、化合物の酸成分において、不斉炭素に基づく光学異性体や幾何異性体が存在する場合、それらの各々や任意の混合物も本発明に包含されることはもちろんである。
【００１１】
一般式（Ｉ）で表される化合物の具体例としては、２，３，５，６−テトラフルオロベンジル−２，２−ジメチル−３−（２，２−ジクロロビニル）シクロプロパンカルボキシレート（以後、トランスフルトリンと称す）、４−メチル−２，３，５，６−テトラフルオロベンジル−２，２−ジメチル−３−（１−プロペニル）シクロプロパンカルボキシレート（以後、プロフルトリンと称す）、４−メトキシメチル−２，３，５，６−テトラフルオロベンジル−２，２−ジメチル−３−（１−プロペニル）シクロプロパンカルボキシレート（以後、メトフルトリンと称す）、２，３，５，６−テトラフルオロベンジル−クリサンテマート（以後、化合物Ａと称す）、２，３，５，６−テトラフルオロベンジル−２，２−ジメチル−３−（１−プロペニル）シクロプロパンカルボキシレート（以後、化合物Ｂと称す）、４−メチル−２，３，５，６−テトラフルオロベンジル−クリサンテマート（以後、化合物Ｃと称す）、４−メチル−２，３，５，６−テトラフルオロベンジル−２，２−ジメチル−３−（２，２−ジフルオロビニル）シクロプロパンカルボキシレート（以後、化合物Ｄと称す）、４−メトキシメチル−２，３，５，６−テトラフルオロベンジル−クリサンテマート（以後、化合物Ｅと称す）、２，３，４，５，６−ペンタフルオロベンジル−２，２−ジメチル−３−（２−クロロ−２−トリフルオロメチルビニル）シクロプロパンカルボキシレート（以後、化合物Ｆと称す）、４−プロパルギル−２，３，５，６−テトラフルオロベンジル−２，２−ジメチル−３−（１−プロペニル）シクロプロパンカルボキシレート（以後、化合物Ｇと称す）、４−メチル−２，３，５，６−テトラフルオロベンジル−２，２−ジメチル−３−ビニルシクロプロパンカルボキシレート（以後、化合物Ｈと称す）、２，３，５，６−テトラフルオロベンジル−２，２，３，３−テトラメチルシクロプロパンカルボキシレート（以後、化合物Ｉと称す）、又は４−メトキシメチル−２，３，５，６−テトラフルオロベンジル−２，２，３，３−テトラメチルシクロプロパンカルボキシレート（以後、化合物Ｊと称す）をあげることができる。
上記化合物のなかでは、エムペントリン、トランスフルトリン、プロフルトリン及びメトフルトリンが性能的に好ましい。
【００１２】
他の揮散性薬剤としては、例えば、ディート、ジメチルフタレート、２−エチル−１，３−ヘキサンジオール等の忌避成分、ヒノキチオール、テトラヒドロリナロール、オイゲノール、アリルイソチオシアネート等の抗菌成分、シトロネラ油、オレンジ油、レモン油、ライム油、ユズ油、ラベンダー油、ペパーミント油、ユーカリ油、ジャスミン油、檜油、緑茶精油、リモネン、α−ピネン、シトロネラール、テルピネオール、リナロール、ゲラニオール、フェニルエチルアルコール、アミルシンナミックアルデヒド、クミンアルデヒド、ベンジルアセテート等の防虫香料等があげられる。
また、前記成分に加え、消臭成分、芳香成分、例えば、「緑の香り」と呼ばれる青葉アルコールや青葉アルデヒド配合の香料成分などを適宜配合しても構わない。
【００１３】
本発明は、薬剤揮散装置に適用される薬剤担持体の担体として、薬剤吸着性の乏しいプラスチック製繊維構造体を採用するにも拘わらず必要な薬剤担持量を保持せしめ、薬剤の単位時間あたりの揮散量を格段にアップさせたことに特徴を有する。
プラスチック製繊維としては、ポリエステル（ポリエチレンテレフタレート、ポリブチレンテレフタレートなど）、ポリアミド、アクリル繊維等があげられるが、これらが主体であればポリエチレン、ポリプロピレン、レーヨン等との混紡品でもよい。
なかでも、テクスチャード加工されていないポリエステル系繊維構造体が好適である。ここで、テクスチャード加工糸とは、撚り、たるみ付け、熱処理等の工程を施し、カール、クリンプ、ループ等に加工されたものを言う。
本発明では、このようなテクスチャード加工が施されていないポリエステル系繊維を格子状もしくは網状に形成したものが好ましく、性能試験結果から、その線径が３０〜３００μｍで、かつ、メッシュ数として５０〜３００メッシュが好ましいことが認められた。
【００１４】
本発明の用途が主として屋外用で１２時間以内の使用であることから、薬剤担持体の担体の大きさは小型化を図るのが好ましい。このため、１枚の揮散面積を１５〜５０ｃｍ２程度とし、通気性に問題を来たさない限りこの繊維構造体を２〜４枚重畳させて用いるように設計するのがよい。
【００１５】
本発明では、かかる担体全体に揮散性薬剤を１０〜５０ｍｇ担持させるが、必要ならば、揮散性薬剤と共に、溶剤、安定剤、揮散調整剤、界面活性剤、着色剤などを適宜配合することができる。溶剤としては、ｎ−パラフィン、イソパラフィンなどの炭化水素系溶剤、プロピレングリコール、１，３−ブチレングリコール、ジプロピレングリコールなどのグリコール系溶剤、アルコール系溶剤、ケトン系溶剤、エステル系溶剤などがあげられ、安定剤としては、ＢＨＴ、ＢＨＡなどを例示できるがこれらに限定されない。ステアリン酸ブチルやミリスチン酸イソプロピルは、本発明で揮散調整剤としての作用を示すことがあり、また、色彩の付加は商品価値を高めるだけでなく、揮散性薬剤の揮散終点を明瞭に視認させるインジケーターとしても使用可能である。
薬剤担持体を調製するに際しても、その担持方法は何ら限定されず、分注方式、含浸方式、スプレー方式等、公知の従来技術を適宜採用すればよい。
【００１６】
本発明の薬剤揮散装置は、揮散性薬剤の拡散性を高めるために薬剤担持体を回転させる方式を採用するが、具体的な形態として、例えば、薬剤担持体を枠体に収納し、これを薬剤カートリッジに設置して回転せしめるタイプがあげられる。この場合、環状の薬剤カートリッジはその中心に軸受部を有し、これが回転駆動装置（モーター）の回転軸と嵌合しうるようになっている。
モーターの仕様としては、ＤＣ１．５Ｖ〜６．０Ｖ駆動で、５００〜３０００ｒｐｍの回転数を与えるものが適当である。回転数を上げれば揮散性薬剤の揮散量を増大させることができるが、揮散性薬剤の飛び散りを生じる恐れもあるので、最適な回転数は種々検討のうえ決定する必要がある。
【００１７】
薬剤担持体の薬剤カートリッジへの設置方法についても任意である。例えば、環状の薬剤カートリッジの外周部に、その円周の一部又は全部に対応するように薬剤担持体の固定部を設け、ここに薬剤担持体を枠体ごと嵌め込むようにしてもよいし、あるいは、このような固定部を軸受部付近に２ケ所以上相互に対面させて設置する形態を採用してもよい。
また、薬剤担持体の固定部の内側にブレードを複数個設置し、遠心力に加えファンによる風量を付与して、揮散性薬剤の揮散性能を一層向上させることもできる。
【００１８】
本発明の薬剤揮散装置には、吸気口、排気口が備えられ、更にスイッチオンを示すパイロットランプ等を別途装填してもよい。但し、短時間使用であることからシンプルな構造が実用的であり、薬剤担持体の装着は使用の都度取替え可能とするのが便利である。
【００１９】
こうして得られた本発明の薬剤揮散装置は、１２時間以内の短時間に高薬量の揮散性薬剤を揮散させてその周囲に揮散性薬剤のバリア空間を形成し、飛翔害虫のこの空間への侵入を阻止することを目的とする。そして、使用開始から１２時間以内に担持量の５０％以上を揮散させるので使用後の残量が非常に少なく、資源節約の観点からも利用価値が高いものである。
本発明の薬剤揮散装置が対象とする害虫としては、屋外での、蚊や蚋、ハエ類、コバエ類、ユスリカ類などが主体であるが、もちろん、屋内で使用してもよく、例えば、イガ、カツオブシムシなどの衣料害虫やゴキブリ類、アリ類、コクゾウ、シバンムシ等の各種害虫に対しても優れた効果を奏する。
【００２０】
次に、具体的実施例ならびに試験例に基づいて、本発明の薬剤揮散装置を更に詳細に説明するが、本発明はこれらに限定されるものではない。
【実施例１】
【００２１】
線径が５０μｍで、テクスチャード加工されていないポリエステル繊維を格子状（メッシュ数：８０メッシュ）にレース編みした。この４×１０ｃｍを二つ折りして４×５ｃｍの２枚重畳繊維構造体を作製し、これにメトフルトリンを１０ｍｇ担持させて本発明で用いる薬剤担持体を調製後、枠体に収納した。
薬剤カートリッジの軸受部付近に設置された薬剤担持体の固定部（対面させて２ケ所）に、それぞれ薬剤担持体を枠体ごと嵌め込み、メトフルトリン担持量が２０ｍｇである薬剤揮散装置とした。
【００２２】
この薬剤揮散装置を１６００ｒｐｍで回転させ、屋外で使用したところ、メトフルトリンの１時間あたりの平均揮散量は１．２ｍｇで、１２時間後の残量は約３０％であった。この間、蚊や蚋、ユスリカ類の害虫に悩まされることがなく、本薬剤揮散装置がその周囲にメトフルトリンのバリア空間を形成し、飛翔害虫のこの空間への侵入を阻止していることが認められた。
【実施例２】
【００２３】
実施例１に準じ、表１に示す各種薬剤揮散装置を調製し、性能試験を行った。結果を表２に示す。なお、殺虫効力試験は、使用４時間後に６畳間の実用部屋でアカイエカ成虫に対するＫＴ50値と致死率を調べ、比較例には、トランスフルトリンを含有するセルロースビーズに軸流ファンからの風を当てるタイプを用いた。また、ファンの回転数はいずれも１５００ｒｐｍとした。
【００２４】
【表１】
0005754895.tif 000003
【００２５】
【表２】
0005754895.tif 000004
【００２６】
試験の結果、本発明の薬剤揮散装置は、１２時間以内の短時間に高薬量の揮散性薬剤を揮散させ、長期間使用を目的とした従来製剤に比べて格段に高い殺虫効力を示した。従って、その周囲に揮散性薬剤のバリア空間を形成し、飛翔害虫のこの空間への侵入を阻止しうることが認められた。実施例１と実施例４の対比から、本発明で用いる薬剤担持体の担体としては、テクスチャード加工されていない繊維構造体の方が、テクスチャード加工品よりも揮散性能に優れ、使用後の残量も少なく資源節約の観点からも好ましかった。
これに対し、比較例１のように、セルロース系ビーズ薬剤含浸体に軸流ファンによって風を当てるタイプでは殺虫効力が低く、使用後殺虫成分がかなり残存した。また、比較例２の如く、長期間用の従来製剤の場合、繊維シートタイプの担体としては、薬剤保持性を考慮して撚り糸のようなテクスチャード加工品を採用せざるを得ず、使用初期における揮散量をアップすることができなかった。
【産業上の利用可能性】
【００２７】
本発明の薬剤揮散装置は、害虫防除分野だけでなく、例えば、芳香、消臭分野などの、薬剤を揮散させる分野においても実用化が可能である。